(57)【要約】【課題】球皿部内に遊技球が貯留されている状態においても，整流器又は送出通路等に発生したトラブルに迅速に対処できる遊技機を提供すること。【解決手段】パチンコ遊技機１は，遊技球７の球貯留部３１及び球通路３２を備えた球皿部３と，球通路３２を通過する遊技球７を１つずつ整流して送出通路２１へと送り出す整流器４とを前枠２の前面側に設けてなる。球皿部３には，球通路３２の球出口３２１を遮るためのシャッター部材５が配設されている。整流器４は，シャッター部材５の一部を押圧移動させて，シャッター部材５が球出口３２１を開口させた状態を形成する取付位置４０１と，シャッター部材５の一部を押圧移動させた状態を解除し，シャッター部材５がこれに付与された付勢力により球出口３２１を遮ることができる移動位置４０２との間で移動可能である。【選択図】  図１
2004329619.tif 000002
【特許請求の範囲】
【請求項１】
複数の遊技球を貯留する球貯留部と該球貯留部の下方に連通する球通路とを備えた球皿部と，上記球通路を通過する遊技球を１つずつ整流して送出通路へと送り出す整流器とを前枠の前面側に設けてなる遊技機において，上記球皿部又は上記前枠には，上記球通路における上記整流器へ通ずる球出口を遮ることができるシャッター部材が配設されていると共に，該シャッター部材には，上記球出口を遮る方向への付勢力が付与されており，
上記整流器は，上記シャッター部材の一部を押圧移動させて，該シャッター部材が上記球出口を開口させた状態を形成し，上記遊技球の整流及び送出が可能な状態で上記遊技機に取り付けられており，かつ，上記シャッター部材の一部を押圧移動させた状態を解除し，該シャッター部材が上記球出口を遮ることができるように移動又は着脱可能であることを特徴とする遊技機。
【請求項２】
請求項１において，上記シャッター部材は，弾性変形可能な板部材からなり，該シャッター部材自体が上記付勢力を生じさせるよう構成されていることを特徴とする遊技機。
【請求項３】
請求項２において，上記シャッター部材は，上記球皿部又は上記前枠に固定される固定部と，該固定部から延長形成され弾性変形が可能である弾性変形部と，該弾性変形部に対して略直角に折り曲げ形成して上記球出口に対面して該球出口を遮る遮断部と，該遮断部から突出するよう形成し，上記整流器を移動又は着脱させる際の軌跡内に位置して該整流器により押圧される被押圧部とを有していることを特徴とする遊技機。
【請求項４】
請求項１〜３のいずれか一項において，上記球皿部は上記前枠の前面に固定されており，上記整流器は上記前枠の前面に回動移動可能に配設されていることを特徴とする遊技機。
【請求項５】
請求項１〜４のいずれか一項において，上記整流器の前方には，該整流器を覆う保護カバーが開閉可能に配設されており，該保護カバーは，上記前枠の前面側に開閉可能に配設したガラス扉によって閉状態が保持されていることを特徴とする遊技機。
【請求項６】
請求項５において，上記保護カバーの裏面側には，上記遊技機に取り付けられた上記整流器が移動又は離脱することを防止する移動防止部が設けられていることを特徴とする遊技機。
【発明の詳細な説明】
【０００１】
【技術分野】
本発明は，複数の遊技球を貯留する球皿部と，遊技球の流れを整流する整流器とを有する遊技機に関し，特に球皿部における球通路から遊技球が零れ落ちることを防止する構造に関する。
【０００２】
【従来技術】
例えば，パチンコ遊技機においては，多数の遊技球を貯留する球皿部から，遊技領域に遊技球を発射させる球発射装置及び発射レールに整流器を介して１つずつ遊技球を供給している。そして，上記発射レール及び整流器が設けられた部位は，遊技球が頻繁に供給されて発射される部位であり，メンテナンスの頻度が多くなる部位である。
【０００３】
そのため，例えば，特許文献１に示すパチンコ遊技機においては，外枠に対して開閉自在に取り付けた前枠に，遊技球を発射させるための発射レールの打球発射部を視認できる開口部を形成すると共に，この開口部を開閉自在に覆い隠すことができるカバー扉板を設けている。
そして，特許文献１においては，カバー扉板を開けたときには，上記開口部から上記打球発射部における遊技球の発射状態を視認することができる。また，例えば，パチンコ遊技中に遊技球の発射状態にトラブルが発生したときでも，上記カバー扉板を開けると共に上記整流器を取り外して，上記トラブルに対処することができる。
【０００４】
【特許文献１】
特許第３０７８５１２号公報
【０００５】
【解決しようとする課題】
しかしながら，上記特許文献１におけるパチンコ遊技機は，上記トラブルの解消は，上記発射レールに遊技球を供給するための打球供給装置（整流器）を取り外して行うことを意図したものである。そのため，例えばパチンコ遊技を行っているときのように，前枠の前面に設けた球皿部内に遊技球が貯留されている状態において，打球供給装置を取り外したときには，これに連通する球通路の球出口から上記球皿部内の遊技球が零れ落ちてしまう。そのため，上記トラブルの解消を行う際には，球皿部内の遊技球を一旦外部に抜き出してから行う必要があり，トラブルに対する迅速な対処が困難である。
【０００６】
本発明は，かかる従来の問題点に鑑みてなされたもので，球皿部内に遊技球が貯留されている状態においても，整流器又は送出通路等に発生したトラブルに迅速に対処することができる遊技機を提供しようとするものである。
【０００７】
【課題の解決手段】
本発明は，複数の遊技球を貯留する球貯留部と該球貯留部の下方に連通する球通路とを備えた球皿部と，上記球通路を通過する遊技球を１つずつ整流して送出通路へと送り出す整流器とを前枠の前面側に設けてなる遊技機において，
上記球皿部又は上記前枠には，上記球通路における上記整流器へ通ずる球出口を遮ることができるシャッター部材が配設されていると共に，該シャッター部材には，上記球出口を遮る方向への付勢力が付与されており，
上記整流器は，上記シャッター部材の一部を押圧移動させて，該シャッター部材が上記球出口を開口させた状態を形成し，上記遊技球の整流及び送出が可能な状態で上記遊技機に取り付けられており，かつ，上記シャッター部材の一部を押圧移動させた状態を解除し，該シャッター部材が上記球出口を遮ることができるように移動又は着脱可能であることを特徴とする遊技機にある（請求項１）。
【０００８】
本発明の遊技機は，上記整流器又は送出通路に異物混入や球詰まり等のトラブルが発生した際に，球皿部における球通路内及び球貯留部内の遊技球を一旦取り除くことなく，上記トラブルに対処できるようにしたものである。
すなわち，これを実現するために，上記前枠の前面側には，遊技球を整流する整流器が移動又は着脱可能に設けられている。また，前枠の前面側には，整流器の移動又は取外しに伴って，上記球通路の球出口を遮断又は開口することができる上記シャッター部材が設けられている。
【０００９】
そして，上記整流器を上記遊技機に取り付けた状態においては，上記シャッター部材の一部が上記整流器によって押圧移動されて，このシャッター部材が上記球通路の球出口を開口した状態を形成している。これにより，整流器は，上記球通路と上記送出通路とを連通できる状態にあり，球通路を通過する遊技球を整流して，１つずつ送出通路に送り出すことができ，上記遊技機においてパチンコ遊技を行うことができる。
【００１０】
そして，上記遊技機に取り付けられた状態の整流器の移動又は取外しを行ったときには，上記シャッター部材は，これに付与された付勢力により上記球通路の球出口を遮ることができる。これにより，上記シャッター部材によって上記球通路の球出口から遊技球が零れ落ちることを防止することができる。
そのため，上記遊技機においては，上記球皿部における球通路内及び球貯留部内に遊技球が貯留されたままの状態で，上記遊技機に取り付けられた状態の整流器の移動又は取外しを行うことができる。
【００１１】
そのため，例えば，上記遊技機においてパチンコ遊技を行っている最中に，上記整流器又は上記送出通路に異物混入や球詰まり等のトラブルが発生したときでも，上記球貯留部内から遊技球を一旦抜き出すことなく，上記整流器の移動又は取外しを行って，上記トラブルに対処することができる。
それ故，本発明の遊技機によれば，例えばパチンコ遊技を行っているときのように，上記球皿部内に遊技球が貯留されている状態においても，上記整流器又は送出通路に発生したトラブルに迅速に対処することができる。
【００１２】
【発明の実施の形態】
上述した本発明における好ましい実施の形態につき説明する。
本発明においては，上記シャッター部材は，弾性変形可能な板部材からなり，該シャッター部材自体が上記付勢力を生じさせるよう構成されていることが好ましい（請求項２）。
この場合には，上記シャッター部材に付勢力を付与するためのバネ部材等の別部材を設ける必要がない。そして，上記シャッター部材の簡単な構成により，このシャッター部材自体を弾性変形させて上記球通路における球出口を開口することができ，このシャッター部材の弾性変形が復元することにより上記球出口を遮ることができる。そのため，シャッター部材の簡単な構成により，上記優れた作用効果を奏する遊技機を形成することができる。
【００１３】
また，上記シャッター部材は，上記球皿部又は上記前枠に固定される固定部と，該固定部から延長形成され弾性変形が可能である弾性変形部と，該弾性変形部に対して略直角に折り曲げ形成して上記球出口に対面して該球出口を遮る遮断部と，該遮断部から突出するよう形成し，上記整流器を移動又は着脱させる際の軌跡内に位置して該整流器により押圧される被押圧部とを有していることが好ましい（請求項３）。
【００１４】
この場合には，上記固定部，弾性変形部，遮断部及び被押圧部を有するシャッター部材の簡単な形状により，弾性変形部を弾性変形させて上記付勢力を生じさせると共に，遮断部を上記球出口から退避させて，この球出口を開口した状態を形成することができる。また，弾性変形部の弾性変形が復元することにより遮断部を球出口に対面させて，この球出口を遮断した状態を形成することもできる。
そのため，上記シャッター部材の簡単な形状により，このシャッター部材に付勢力を生じさせることができ，この付勢力により上記球出口の遮断を行うこともできる。
【００１５】
また，上記被押圧部を上記整流器を移動又は着脱させる際の軌跡内に位置させたことにより，特別な工夫を必要とすることなく，上記整流器を取付け方向に移動させるだけで，上記被押圧部を押圧することができる。そのため，上記弾性変形部を弾性変形させて上記遮断部を上記球出口から退避させることが容易である。
【００１６】
また，上記球皿部は上記前枠の前面に固定されており，上記整流器は上記前枠の前面に回動移動可能に配設されていることが好ましい（請求項４）。
上記のごとく，上記整流器を移動可能に配設した構成により，この場合のように上記球皿部を前枠に固定することができる。そして，この球皿部の固定により，球皿部を前枠に対して開けるときに球皿部内の遊技球が零れ落ちることを防止するための球止め部材等を設けることが不要になる。
上記整流器の回動移動により，上記シャッター部材を押圧移動させることが容易であり，上記押圧移動の解除も容易である。
【００１７】
また，上記整流器は，回動移動可能に上記前枠に配設する以外にも，スライド移動可能に前枠に配設することもできる。
また，上記球皿部は，上記前枠に対して回動可能に取り付けられる前面パネルに配設することもでき，この場合には，上記整流器はこの前面パネルに対して移動又は着脱可能に配設し，上記シャッター部材はこの前面パネルに配設することができる。
【００１８】
また，上記整流器の前方には，該整流器を覆う保護カバーが開閉可能に配設されており，該保護カバーは，上記前枠の前面側に開閉可能に配設したガラス扉によって閉状態が保持されていることが好ましい（請求項５）。
この場合には，上記保護カバーによって上記整流器が遊技者に直接見えないようにすることができ，上記保護カバーを開けなければ上記整流器を上記遊技機に取り付けた状態から移動させたり取り外したりできなくすることができる。
【００１９】
また，上記ガラス扉を上記前枠に対して閉じることによって，上記保護カバーを閉じた状態が保持され，保護カバーは，ガラス扉を前枠に対して開けない限り開けることができなくなっている。そのため，不正に保護カバーを開けられることを防止するための施錠等を保護カバーに直接設ける必要がなく，ガラス扉を開けることを防止した施錠を利用して，保護カバーの施錠も行うことができる。
そのため，上記保護カバーにより，整流器を不正に移動させることを防止した構造を簡単に実現することができる。
【００２０】
また，上記保護カバーの裏面側には，上記遊技機に取り付けられた上記整流器が移動又は離脱することを防止する移動防止部が設けられていることが好ましい（請求項６）。
この場合には，例えば，振動等の外力が整流器に加わった際に，この整流器が意図せず移動又は離脱してしまうことを防止することができる。
【００２１】
【実施例】
以下に，図面を用いて本発明の遊技機に係る実施例につき説明する。
本例の遊技機はパチンコ遊技機１であり，このパチンコ遊技機１は，図１，図２に示すごとく，複数の遊技球７を貯留する球貯留部３１とこの球貯留部３１（図３参照）の下方に連通する球通路３２とを備えた球皿部３と，上記球通路３２を通過する遊技球７を１つずつ整流して送出通路２１へと送り出す整流器４とを前枠２の前面側に設けてなる。
上記球皿部３には，上記球通路３２における上記整流器４へ通ずる球出口３２１を遮ることができるシャッター部材５が配設されている。また，このシャッター部材５には，上記球出口３２１を遮る方向への付勢力が付与されている。
【００２２】
上記整流器４は，図１に示すごとく，上記シャッター部材５の一部を押圧移動させて，このシャッター部材５が上記球出口３２１を開口させた状態を形成し，上記遊技球７の整流及び送出が可能な状態で上記前枠２に取り付けられている。
また，整流器４は，移動又は着脱可能に前枠２に取り付けられている。そして，パチンコ遊技機１は，図２に示すごとく，整流器４の移動又は取外しを行ったときには，上記シャッター部材５の一部を押圧移動させた状態を解除し，このシャッター部材５が上記球出口３２１を遮ることができるよう構成されている。
【００２３】
以下に，これを詳説する。
図１，図２に示すごとく，本例の整流器４は，パチンコ遊技機１に対して移動可能に取り付けられている。この整流器４は，上記遊技球７の整流及び送出が可能な取付位置４０１と，この取付位置４０１から移動させた移動位置４０２との間で移動可能である。
【００２４】
図３に示すごとく，本例のパチンコ遊技機１は，このパチンコ遊技機１における外枠２０と，この外枠２０の前面側に配設した上記前枠２と，この前枠２の前面側に開閉可能に配設したガラス扉６とを有している。上記前枠２は，遊技領域を形成する遊技盤，パチンコ遊技を制御する各種の制御装置及び各種の電気部品を配設してなるものである。また，上記ガラス扉６は，プラスチック枠の内側にガラス板を配設してなるものである。
【００２５】
図１，図２に示すごとく，本例の球皿部３は，上記前枠２に開閉不能に一体的に固定されてなるものである。すなわち，球皿部３は，前枠２に対して分解しない限り開閉させることができない固定タイプのものであり，球皿部３を開閉可能にしたときに遊技球７が球貯留部３１から零れ落ちることを防止するための球止め部材等を不要にしたものである。
【００２６】
本例においては，図１に示すごとく，上記送出通路２１は，上記前枠２の前面側に形成されている。また，前枠２の前面側には，球発射装置２３により上記遊技盤の遊技領域に向けて発射させる遊技球７をセットするための発射レール２２が配設されている。そして，図５に示すごとく，発射レール２２は，送出通路２１に対向して配設されており，送出通路２１は，後述する送出アーム４１の保持導出通路４１２に連通するよう形成されている。
そして，図２に示すごとく，上記整流器４を開けた際には，この整流器４内，上記送出通路２１，上記発射レール２２及びその周辺のメンテナンスを行うことができる。
なお，上記球発射装置２３は，上記発射レール２２にセットした遊技球７を上記遊技領域に向けて発射させる装置である。
【００２７】
図３，図４に示すごとく，本例の球通路３２は，上記球貯留部３１から整流器４に遊技球７を供給するための発射球供給通路３２である。また，球通路３２としては，これ以外にも，発射球供給通路３２を通過する遊技球７を球皿部３から外部に抜き出すための発射球抜き通路３３及び上記球貯留部３１に貯留された遊技球７を球皿部３から外部へ抜き出すための球抜き通路３４がある。
【００２８】
図１，図２に示すごとく，上記シャッター部材５は，弾性変形可能な板部材（板バネ）からなり，このシャッター部材５自体が上記付勢力を生じさせるよう構成されている。このシャッター部材５は，上記球皿部３内に固定される固定部５１と，この固定部５１から延長形成され弾性変形が可能である弾性変形部５２とを有している。なお，シャッター部材５の固定部５１は，上記前枠２に固定されていてもよい。
【００２９】
また，シャッター部材５は，弾性変形部５２に対して略直角に折り曲げ形成して上記球出口３２１に対面して球出口３２１を遮る遮断部５３と，この遮断部５３から突出するよう形成し，上記整流器４が上記移動位置４０２から上記取付位置４０１へと移動する際の軌跡内に位置してこの整流器４により押圧される被押圧部５４とを有している。
また，遮断部５３は，上記球出口３２１の開口面積の半分以上を遮る大きさを有している。そして，遮断部５３は，球出口３２１の手前に到達した遊技球７の半径以上を覆うことができる。
【００３０】
そして，図１，図７に示すごとく，上記シャッター部材５は，上記取付位置４０１において，上記被押圧部５４が上記整流器４の一部４３によって押圧されることにより，上記弾性変形部５２を弾性変形させ，上記遮断部５３を上記球出口３２１から退避させてこの球出口３２１を開口することができる。
また，図２に示すごとく，シャッター部材５は，上記移動位置４０２において，上記弾性変形部５２の弾性変形が復元することにより，上記遮断部５３が上記球出口３２１を遮断し，この球出口３２１から遊技球７が零れないようにすることができる。
【００３１】
また，図１，図２に示すごとく，上記整流器４は，上記前枠２の前面に，上記取付位置４０１と上記移動位置４０２との間で回動移動可能に配設されている。
そして，整流器４は，前枠２に対して閉じたときに上記取付位置４０１に回動し，前枠２に対して開けたときに上記移動位置４０２に回動する。
また，図２，図４に示すごとく，整流器４は，上記前枠２に設けた掛止部２４によって掛止される被掛止爪４２１を有している。そして，被掛止爪４２１を掛止部２４に掛止することによって，整流器４は外部から操作しない限り開けること（上記移動位置４０２に移動させること）ができなくなっている。また，整流器４には，この整流器４の開閉操作を行うための操作部４２が設けてあり，本例ではこの操作部４２に上記被掛止爪４２１が設けてある。
【００３２】
図１，図５に示すごとく，整流器４内には，上記球通路３２における球出口３２１から遊技球７を１つずつ受け取って，この遊技球７を上記発射レール２２に送り出すための送出アーム４１が配設されている。この送出アーム４１は，回動中心となる回動支点部４１１と遊技球７を１つずつ保持して上記送出通路２１に導くための保持導出通路４１２とを有している。
【００３３】
また，送出アーム４１は，回動支点部４１１を中心に所定の角度の間を往復回動するものであり，図４に示すごとく，上記球出口３２１から遊技球７を受け取る受取位置４０３と，図５に示すごとく，上記発射レール２２に遊技球７を送り出す送出位置４０４との間で往復回動が可能である。
そして，送出アーム４１は，図５に示すごとく，上記受取位置４０３において球出口３２１から保持導出通路４１２に遊技球７を１つ受け取ると，この遊技球７を保持導出通路４１２内に保持して上記送出位置４０４へと回動し，図６に示すごとく，この遊技球７を上記送出通路２１を通過させて上記発射レール２２へと送り出すことができる。
【００３４】
また，図７に示すごとく，上記整流器４の前方には，この整流器４を覆う保護カバー３５が上記前枠２に対して開閉可能に配設されている。この保護カバー３５は，上記前枠２と上記ガラス扉６との間に挟持される挟持部３５１を有している。また，保護カバー３５は，ガラス扉６を前枠２に閉じて，これらの間に上記挟持部３５１を挟み込むことにより，閉状態が保持されている。そして，保護カバー３５は，ガラス扉３５を前枠２対して開けない限り，開けることができなくなっている。
【００３５】
そのため，本例では，不正に保護カバー３５を開けられることを防止するための施錠等をこの保護カバー３５に直接設ける必要がなく，ガラス扉６を開けることを防止した施錠を利用して，保護カバー３５の施錠を行うことができる。
また，上記整流器４は，保護カバー３５を開けなければ上記取付位置４０１から上記移動位置４０２に回動させることができず，この保護カバー３５を閉じた状態がガラス扉６により保持されていることにより，外部から不正に保護カバー３５を開けて整流器４を回動させることができなくなっている。そのため，上記保護カバー３５により，整流器４を不正に移動させることを防止した構造を簡単に実現することができる。
【００３６】
また，上記保護カバー３５の裏面側には，上記前枠２に取り付けられた整流器４が上記取付位置４０１から移動位置４０２に移動してしまうことを防止する移動防止部３５２が設けられている。この移動防止部３５２は，保護カバー３５の裏面から突出形成されており，保護カバー３５を前枠２に対して閉じたときに整流器４に当接する当接面３５３を有している。
そして，整流器４は，これに振動等の外力が加わった際に，上記移動防止部３５２により意図せず取付位置４０１から移動位置４０２に移動してしまうことが防止されている。
【００３７】
上記パチンコ遊技機１においてパチンコ遊技を行っているときには，上記整流器４は，図１に示すごとく，上記前枠２に固定して遊技球７を整流することができる上記取付位置４０１にある。この取付位置４０１においては，上記シャッター部材５は，上記被押圧部５４が上記整流器４によって押圧されることにより，上記弾性変形部５２が弾性変形され，上記遮断部５３が発射球供給通路３２における球出口３２１から退避して，この球出口３２１を開口した状態にある。
【００３８】
そして，図４〜図６に示すごとく，整流器４内の上記送出アーム４１が上記受取位置４０３と上記送出位置４０４との間で往復回動することにより，発射球供給通路３２を通過する遊技球７を１つずつ受け取り，この遊技球７を１つずつ送出通路２１を通過させて発射レール２２に送り出すことができる。そして，発射レール２２に送り出された遊技球７は，上記球発射装置２３によって上記前枠２に配設した遊技盤の遊技領域に向けて発射される。
【００３９】
そして，上記パチンコ遊技機１においてパチンコ遊技を行っているときに，異物混入又は球詰まり等により遊技球７の発射ができない等のトラブルが発生したときには，図７に示すごとく，パチンコ遊技機１の管理者は，上記ガラス扉６の施錠を解除してこのガラス扉６を開ける。これにより，ガラス扉６が保護カバー３５の挟持部３５１を挟持する状態が解除され，保護カバー３５の閉状態が解除される。
【００４０】
そして，図２に示すごとく，パチンコ遊技機１の管理者は，上記整流器４を上記取付位置４０１から上記移動位置４０２に回動させる。このとき，上記シャッター部材５は，上記被押圧部５４が整流器４によって押圧された状態が解除され，上記弾性変形部５２の弾性変形が復元することにより，上記遮断部５３が上記発射球供給通路３２における球出口３２１に対面して，この球出口３２１を遮る。これにより，シャッター部材５によって発射球供給通路３２における球出口３２１から遊技球７が零れ落ちることを防止することができる。
【００４１】
そして，パチンコ遊技機１の管理者は，上記パチンコ遊技を行っている最中に，上記球皿部３における球貯留部３１内に遊技球７が貯留されたままの状態，あるいは上記発射球供給通路３２内に遊技球７が残されたままの状態で，上記整流器４内，上記送出通路２１，上記発射レール２２又は上記球発射装置２３に発生したトラブルを解消することができる。
そのため，例えば，上記パチンコ遊技機１において，上記球貯留部３１内に賞球による払出が行われている最中でも，上記トラブルを解消することができる。
【００４２】
このように，上記パチンコ遊技機１においては，パチンコ遊技を行っている最中に，整流器４内，送出通路２１，発射レール２２又は球発射装置２３にトラブルが発生したときでも，球貯留部３１内及び発射球供給通路３２内から遊技球７を一旦抜き出すことなく，上記整流器４を回動させて，上記トラブルを解消することができる。
それ故，上記パチンコ遊技機１によれば，上記球皿部３内から遊技球７を抜き出すことなく，上記トラブルに迅速に対処することができる。
【００４３】
また，上記整流器４は，ビス等の固定具を用いることなく，その被掛止部４２１が上記前枠２に設けた掛止部２４によって掛止されることによって，前枠２に回動可能に取り付けられている。そのため，整流器４は，ビス等の固定具を緩めて取り外す必要がなく，その操作部４２を操作することによって容易に回動させることができる。そのため，一層迅速に上記トラブルを解消することができる。
また，トラブルを解消した後には，整流器４を再び回動させるだけで元の取付位置４０１に復帰させることができ，迅速に元のパチンコ遊技に復帰することができる。
【００４４】
なお，上記整流器４は，回動移動可能に上記前枠２に配設する以外にも，スライド移動可能に前枠２に配設することもできる。また，上記球皿部３は，前枠２に対して回動可能に取り付けられる前面パネル（図示略）に配設することもでき，この場合には，整流器４はこの前面パネルに対して移動又は着脱可能に配設し，上記シャッター部材５はこの前面パネルに配設することができる。また，上記整流器４は，上記前枠２又は上記球皿部３に対して着脱可能に取り付けることも可能である。
【図面の簡単な説明】
【図１】実施例における，取付位置にある整流器とその周辺をパチンコ遊技機の上方から見た状態で示す断面説明図。
【図２】実施例における，移動位置にある整流器とその周辺をパチンコ遊技機の上方から見た状態で示す断面説明図。
【図３】実施例における，球皿部の周辺をパチンコ遊技機の前面側から見た状態で示す正面図。
【図４】実施例における，送出アームが受取位置にある状態の整流器とその周辺をパチンコ遊技機の前面側から見た状態で示す断面説明図。
【図５】実施例における，送出アームが送出位置にある状態の整流器とその周辺をパチンコ遊技機の前面側から見た状態で示す断面説明図。
【図６】実施例における，発射レールとその周辺をパチンコ遊技機の前面側から見た状態で示す断面説明図。
【図７】実施例における，保護カバーに覆われて回動させることができない状態の整流器とその周辺をパチンコ遊技機の側方側から見た状態で示す断面説明図。
【符号の説明】
１．．．パチンコ遊技機，
２．．．前枠，
２０．．．外枠，
２１．．．送出通路，
２２．．．発射レール，
２３．．．球発射装置，
３．．．球皿部，
３１．．．球貯留部，
３２．．．球通路（発射球供給通路），
３２１．．．球出口，
３５．．．保護カバー，
３５１．．．挟持部，
４．．．整流器，
４１．．．送出アーム，
４０１．．．取付位置，
４０２．．．移動位置，
４０３．．．受取位置，
４０４．．．送出位置，
５．．．シャッター部材，
５１．．．固定部，
５２．．．弾性変形部，
５３．．．遮断部，
５４．．．被押圧部，
６．．．ガラス扉，
７．．．遊技球，
【図１】
2004329619.tif 000003
【図２】
2004329619.tif 000004
【図３】
2004329619.tif 000005
【図４】
2004329619.tif 000006
【図５】
2004329619.tif 000007
【図６】
2004329619.tif 000008
【図７】
2004329619.tif 000009